(57)【要約】【課題】、設置工事を簡素化でき、浴槽の排水栓及び排水栓よりも重負荷の開閉弁にそれぞれ適切な電圧を印加できる浴槽洗浄システムを低コストで提供する。【解決手段】浴槽の排水栓２及び排水栓よりも重負荷の開閉弁７５，７６を異なるタイミングで駆動する排水栓・洗浄ユニット７と、排水栓・洗浄ユニット７に所定の出力電圧で電源供給する電源ユニット５５と、排水栓・洗浄ユニット７及び電源ユニット５５を接続する電源ライン１０１とを備える浴槽洗浄システムであって、開閉弁７５，７６を駆動させるとき、開閉弁７５，７６に排水栓２を駆動させる低電圧を通電させた後、開閉弁７５，７６に排水栓２を駆動させる低電圧より高い高電圧を通電させる。【選択図】図１
2019141198.tif 000002
【特許請求の範囲】
【請求項１】
浴槽の排水栓及び排水栓よりも重負荷の開閉弁を異なるタイミングで駆動する排水栓・洗浄ユニットと、
排水栓・洗浄ユニットに所定の出力電圧で電源供給する電源ユニットと、
排水栓・洗浄ユニット及び電源ユニットを接続する電源ラインと、を備え、
開閉弁を駆動させるとき、開閉弁に排水栓を駆動させる低電圧を通電させた後、開閉弁に排水栓を駆動させる低電圧より高い高電圧を通電させるように電圧を切り替える浴槽洗浄システム。
【請求項２】
請求項１に記載の浴槽洗浄システムにおいて、
電源ユニットは、開閉弁を駆動させるとき、排水栓を駆動させるときの低電圧の出力電圧よりも高い高電圧の出力電圧で排水栓・洗浄ユニットに電源供給するように出力電圧を切り替える第１電圧切替回路を有する浴槽洗浄システム。
【請求項３】
請求項１に記載の浴槽洗浄システムにおいて、
排水栓・洗浄ユニットは、電源ユニットからの出力電圧を昇圧する昇圧回路と、開閉弁を駆動させるとき、排水栓を駆動させる低電圧よりも高い高電圧を開閉弁に通電させるように昇圧回路を作動させる第２電圧切替回路とを有する浴槽洗浄システム。
【発明の詳細な説明】
【技術分野】
【０００１】
本発明は、浴槽を自動で洗浄する浴槽洗浄システムに関する。特に、本発明は、浴槽の排水栓及び排水栓より重負荷の開閉弁を駆動する排水栓・洗浄ユニットと、排水栓・洗浄ユニットに電源供給する電源ユニットとが、電源ラインで接続される浴槽洗浄システムに関する。
【背景技術】
【０００２】
従来、浴槽内へ湯水や洗浄水を噴射させて浴槽の内周面に付着した汚れを洗い落とす浴槽洗浄システムが知られている。例えば、浴室内に、給湯器から供給される湯水と洗剤タンクから供給される洗剤とを混合させて洗浄水を生成する洗浄ユニットを設け、洗浄ノズルから浴槽内に向けて湯水や洗浄水を噴射させる浴槽洗浄システムが提案されている（特許文献１）。
【０００３】
上記のような浴槽洗浄システムでは、洗浄ユニットに電源供給する電源ユニットなどの構成部品の全てを湿気の多い浴室内に設ける場合、漏電を考慮した複雑な防水構造が必要となる。このため、特許文献１では、電源ユニットを浴室外の天井裏に設置し、洗浄ユニットを浴室内の浴槽近傍に設置して、これらのユニットを長距離（例えば、数ｍ以上）の電源ラインで接続している。
【先行技術文献】
【特許文献】
【０００４】
【特許文献１】特開２０１５−３９６０５号公報
【発明の概要】
【発明が解決しようとする課題】
【０００５】
ところで、洗浄運転中の洗浄工程では洗剤を含む洗浄水を浴槽内に噴射させるため、洗浄工程以外での湯水への洗剤の混入を確実に防止する必要がある。そのため、洗浄ユニットにおける洗剤タンクから洗剤を供給する洗剤導入管に、電磁弁からなる開閉弁が設けられる場合がある。
【０００６】
上記のような開閉弁は駆動時に大電流が流れる重負荷であるため、電源ユニットと洗浄ユニットとが離れていると、電源ラインのインピーダンスによって大きな電圧ドロップが生じる。その結果、電源ユニットから所定の出力電圧で電源供給される場合、開閉弁に適切な電圧（定格電圧）が通電されず、開閉弁が正常に駆動されない虞がある。特に、制御信号を電源ラインに重畳させると、コイル成分による電圧ドロップも生じる。このため、電源ユニットと洗浄ユニットとが離れて設置される場合、開閉弁を駆動させるときに電圧ドロップが生じても適切な電圧が開閉弁に通電されるよう洗浄ユニットに昇圧回路を設けることが考えられる。
【０００７】
一方、特許文献１の浴槽洗浄システムでは、浴槽の排水栓を自動で開閉する排水栓駆動機構を備えた排水栓ユニットが浴槽近傍に設けられている。自動開閉式の排水栓を設ければ、洗浄運転から湯張り運転までを連続して行わせることができるため、使用者の使い勝手がよい。このような排水栓は開閉弁と比べて軽負荷であり、排水栓を駆動させたときに電圧ドロップが生じても排水栓の駆動への影響は小さい。そのため、電源ユニットと排水栓ユニットとが長距離の電源ラインで接続されていても、排水栓ユニットに昇圧回路を設ける必要はない。それゆえ、特許文献１のように、電源ユニットと、洗浄ユニット及び排水栓ユニットとを別々の電源ラインで接続させることも考えられる。
【０００８】
しかしながら、浴室の天井裏から浴室内に複数の電源ラインを配設するのは大掛かりな工事を必要とし、コスト高になるという問題がある。特に、既設の浴室に浴槽洗浄システムを追加する場合、できるだけ少ない電源ラインを配設することが好ましい。また、特許文献１のように排水栓ユニットと洗浄ユニットとを別々に作動させる場合、各ユニットに制御基板が必要とされるだけでなく、複数の制御基板相互の接続も必要とされるため、さらに設置工事の難度やコストを増加させる。
【０００９】
設置工事の難度やコストの観点から、排水栓ユニットと洗浄ユニットとを一体化させた排水栓・洗浄ユニットで重負荷の開閉弁と軽負荷の排水栓とを駆動させることが考えられる。しかしながら、このような排水栓・洗浄ユニットで開閉弁を駆動させるために昇圧回路を設けると、開閉弁を駆動させないときに定格電圧を超えた電圧が負荷に通電されてしまうという問題がある。
【００１０】
本発明は上記課題を解決するものであり、本発明の目的は、設置工事を簡素化でき、浴槽の排水栓及び排水栓よりも重負荷の開閉弁にそれぞれ適切な電圧を通電できる浴槽洗浄システムを低コストで提供することにある。
【課題を解決するための手段】
【００１１】
本発明によれば、
浴槽の排水栓及び排水栓よりも重負荷の開閉弁を異なるタイミングで駆動する排水栓・洗浄ユニットと、
排水栓・洗浄ユニットに所定の出力電圧で電源供給する電源ユニットと、
排水栓・洗浄ユニット及び電源ユニットを接続する電源ラインと、を備え、
開閉弁を駆動させるとき、開閉弁に排水栓を駆動させる低電圧を通電させた後、開閉弁に排水栓を駆動させる低電圧より高い高電圧を通電させるように電圧を切り替える浴槽洗浄システムが提供される。
【００１２】
上記浴槽洗浄システムによれば、排水栓と開閉弁とが異なるタイミングで駆動され、開閉弁を駆動させるとき、開閉弁に低電圧を通電させて、電圧ドロップが生じる状態を形成してから、開閉弁に高電圧を通電させるから、電源ユニットと排水栓・洗浄ユニットとが離れて設置されている設置環境において、いずれの負荷にも確実に適切な電圧を通電して駆動させることができる。
【００１３】
また、上記浴槽洗浄システムによれば、電源ユニットと排水栓・洗浄ユニットとを電源ラインで接続するだけでよいから、排水栓ユニットと洗浄ユニットとに別々に電源供給する場合に比べて、設置工事を簡略化できる。
【００１４】
好ましくは、上記浴槽洗浄システムにおいて、
電源ユニットは、開閉弁を駆動させるとき、排水栓を駆動させるときの低電圧の出力電圧よりも高い高電圧の出力電圧で排水栓・洗浄ユニットに電源供給するように出力電圧を切り替える第１電圧切替回路を有する。
【００１５】
開閉弁を駆動させたときの電圧ドロップを考慮した高電圧の出力電圧で電源ユニットから排水栓・洗浄ユニットに電源供給することも考えられるが、開閉弁を駆動させていないときには、定格電圧を超える電圧が負荷に通電される可能性がある。
【００１６】
しかしながら、排水栓・洗浄ユニットに排水栓を駆動させる低電圧の出力電圧で電源供給して、開閉弁に低電圧を通電させた後、第１電圧切替回路により、排水栓を駆動させるときの低電圧の出力電圧よりも高い高電圧の出力電圧に切り替えて排水栓・洗浄ユニットに電源供給すれば、昇圧回路を設けることなく、大きな電圧ドロップが生じる開閉弁を駆動させるときに高電圧を開閉弁に通電させることができる。これにより、電源ユニットと排水栓・洗浄ユニットとが離れて設置されていても、いずれの負荷にも適切な電圧を通電させることができる。
【００１７】
好ましくは、上記浴槽洗浄システムにおいて、
排水栓・洗浄ユニットは、電源ユニットからの出力電圧を昇圧する昇圧回路と、開閉弁を駆動させるとき、排水栓を駆動させる低電圧よりも高い高電圧を開閉弁に通電させるように昇圧回路を作動させる第２電圧切替回路とを有する。
【００１８】
既述したように、排水栓・洗浄ユニットに電源ユニットからの出力電圧を昇圧する昇圧回路を設け、開閉弁を駆動させたときの電圧ドロップを考慮した高電圧を開閉弁に通電させることも考えられるが、開閉弁を駆動させていないときには、定格電圧を超える電圧が負荷に通電される可能性がある。
【００１９】
しかしながら、開閉弁に排水栓を駆動させる低電圧を通電させた後、昇圧回路及び第２電圧切替回路により、開閉弁に排水栓を駆動させる低電圧より高い高電圧を通電させれば、電源ユニットからの出力電圧を変化させることなく、大きな電圧ドロップが生じる開閉弁を駆動させるときに高電圧を開閉弁に通電させることができる。これにより、電源ユニットと排水栓・洗浄ユニットとが離れて設置されていても、いずれの負荷にも適切な電圧を通電させることができる。
【発明の効果】
【００２０】
以上のように、本発明によれば、浴室外に電源ユニットを配設し、浴室内に軽負荷の排水栓及び重負荷の開閉弁を駆動させる排水栓・洗浄ユニットを配設して、これらを電源ラインで接続させる浴槽洗浄システムにおいて、排水栓及び開閉弁のいずれにも適切な電圧を通電させて、いずれの負荷も安定に駆動させることができる。従って、電源ユニットと、排水栓ユニット及び洗剤ユニットとを、別々の電源ラインで接続させる必要もないし、排水栓ユニット及び洗浄ユニットにそれぞれ、制御基板を設ける必要もない。これにより、大掛かりな設置工事の必要のない浴槽洗浄システムを低コストで提供することができる。
【図面の簡単な説明】
【００２１】
【図１】図１は、本発明の実施の形態１に係る浴槽洗浄システムを示す概略構成図である。
【図２】図２は、本発明の実施の形態１に係る電源ユニットの回路図である。
【図３】図３は、本発明の実施の形態１に係る浴槽洗浄システムの動作を説明するためのタイムチャートである。
【図４】図４は、本発明の実施の形態２に係る浴槽洗浄システムを示す概略構成図である。
【発明を実施するための形態】
【００２２】
（実施の形態１）
図１は、本実施の形態に係る浴槽洗浄システムの一例を示す概略構成図である。浴室内には浴室壁に沿って浴槽１が配設され、浴槽１近傍（例えば、浴槽１のエプロン下部）には排水栓・洗浄ユニット７が配設されている。また、浴室の天井裏には本体ユニット５が配設され、浴室外（例えば、屋外）には熱源機である給湯器９が配設されている。
【００２３】
浴槽１の底部には、浴槽１に貯留された湯水である浴槽水を排水するための排水栓２と、湯水や洗浄水を噴射する洗浄ノズル３とが設けられており、浴槽内周壁の１つには、給湯器９から供給される湯水を湯張りしたり、浴槽１内の湯水を追焚きしたりするための循環アダプタ４が設けられている。図示しないが、洗浄ノズル３は、洗浄管４３を介して供給される湯水や洗浄水を浴槽１の貯水部の内周面全域に亘って放射状に噴射する噴射口を備える。この噴射口は、湯水や洗浄水の流量に応じて、湯水や洗浄水の噴射位置が貯水部の内周面の上下域に変動するように構成されている。
【００２４】
図示しないが、給湯器９は、ガスバーナと、給湯熱交換器と、追焚き熱交換器とを備える。給湯熱交換器には、給水源から上水を供給するための給水管９１と、カランや後述する本体ユニット５に給湯器９から加熱された湯水を供給する給湯管９２とが接続されている。追焚き熱交換器には、浴槽１から給湯器９に浴槽１内の湯水を戻す戻り管９３と、給湯器９から加熱された湯水を浴槽１内に送る往き管９４とが接続されている。給湯管９２と往き管９４とは、給湯器９内で湯張り管によって接続されている。給湯器９内には、給湯器９の運転を制御する給湯器用制御基板が組み込まれており、給水管９１に設けられた給水センサや給湯管９２及び戻り管９３に設けられた温度センサなどの各種センサ、給水管９１、給湯管９２、往き管９４、戻り管９３、及びガス供給管に設けられた各種制御弁、点火装置、電源ユニットや、給湯器用リモコンは、給湯器用制御基板と接続されている。なお、給湯器９は、追焚き機能を有さない、給湯機能のみを有していてもよい。また、電気式給湯器やヒートポンプ式給湯器を用いてもよい。
【００２５】
本体ユニット５は、上流側の給水管９１及び給湯管９２への逆流を防止する逆流防止手段５１と、排水栓・洗浄ユニット７に供給する湯水の流量を調整する流量調整手段５２と、本体用制御基板５３とを備える。本体用制御基板５３は、本体用制御マイコン５４と、電源ユニット５５と、信号重畳回路５６とを備え、本体ユニット５の負荷や、排水栓・洗浄ユニット７及び洗浄用リモコンＲにはそれぞれ、電源ユニット５５から所定の出力電圧で電源供給される。
【００２６】
図示しないが、逆流防止手段５１は、例えば、吐水口空間を有する湯水タンクを備え、給水管９１及び給湯管９２からそれぞれ本体ユニット５側に分岐する本体側給水管９１ａ及び本体側給湯管９２ａと接続されている。また、逆流防止手段５１には、排水栓・洗浄ユニット７に湯水を供給する湯水供給管９８が接続され、湯水供給管９８には、流量調整手段５２が介設されている。流量調整手段５２は、例えば、ポンプやポンプを駆動するモータを備える。本体用制御基板５３は、流量調整手段５２及び浴室内の洗浄用リモコンＲのリモコン用制御基板と接続されている。また、本体側給水管９１ａ及び本体側給湯管９２ａに設けられた流量センサや温度センサなどの各種センサ、流量制御弁、湯水供給管９８を開閉する開閉弁は、電気配線を介して本体用制御基板５３と接続されている。
【００２７】
電源ユニット５５は、商用電源３０と接続される。電源ユニット５５は、図２に示す排水栓・洗浄ユニット７に所定の直流電圧を出力する二次コイルと、図示しない本体ユニット５や洗浄用リモコンＲの負荷に所定の直流電圧を出力する二次コイルとを有する多出力の電源装置である。
【００２８】
図２に示すように、商用電源３０から印加された交流電圧は、ダイオードブリッジなどからなる整流回路５０１により整流され、さらに電解コンデンサからなる平滑回路５０２により一次側直流電圧ＨＶに変換される。平滑回路５０２の後段には、定電圧制御回路５０４からの指示に従ってスイッチング処理を行うスイッチング電源回路５０３が設けられる。定電圧制御回路５０４は、レギュレータ、制御用トランジスタ、抵抗、及びフォトカプラを備え、スイッチング電源回路５０３は、フォトカプラやＦＥＴなどからなるスイッチング素子を備える。
【００２９】
スイッチング電源回路５０３のスイッチング動作により、トランスＴの一次コイルに一次側直流電圧ＨＶが断続的に印加され、一次コイルへの断続的な通電に応じた誘電起電力が二次コイルに発生する。二次コイルから出力される交流電圧は、整流及び平滑回路５０５，５０６により、直流電圧Ｖ０１として出力される。定電圧制御回路５０４は、第１電圧切替回路５０７からの制御信号に基づき、直流電圧Ｖ０１を分圧した電圧が所定の設定電圧となるよう通電量を指示する通電量信号をスイッチング電源回路５０３に出力する。スイッチング電源回路５０３は、通電量信号に応じてｄｕｔｙ比を決定し、スイッチング素子をスイッチング動作させる。第１電圧切替回路５０７は、本体用制御マイコン５４からの負荷制御信号により、二次側の設定電圧を変更し、所定の出力電圧となるように定電圧制御回路５０４に制御信号を出力する。
【００３０】
例えば、商用電源３０が１００Ｖの交流電源である場合、整流及び平滑回路５０１，５０２により一次側直流電圧ＨＶ（１４４Ｖ）となる。この一次側直流電圧ＨＶでは、排水栓２や後述する開閉弁である第１及び第２洗剤弁７５，７６などの負荷には大きすぎる。このため、スイッチング電源回路５０３により、一次側直流電圧ＨＶが低電圧の直流電圧Ｖ０１（１２．５Ｖ）に変圧され、出力された直流電圧Ｖ０１は、排水栓・洗浄ユニット７の電源電圧となる。また、重負荷である第１及び第２洗剤弁７５，７６を駆動させるとき、本体用制御マイコン５４からの負荷制御信号が第１電圧切替回路５０７に出力され、二次側の設定電圧が変更されて、一次側直流電圧ＨＶが高電圧の直流電圧Ｖ０１（１５Ｖ）に変圧される。すなわち、本実施の形態の電源ユニット５５は、本体用制御マイコン５４からの負荷制御信号のレベルの変更により、出力電圧が変更される直流電源回路を有する。
【００３１】
なお、電源ユニット５５は本体ユニット５と一体に設けられており、また洗浄用リモコンＲは軽負荷であるため、本体ユニット５や洗浄用リモコンＲの負荷に流れる電流の大小によらず、電圧ドロップの影響は小さい。このため、本体ユニット５や洗浄用リモコンＲの負荷への電源回路の構成は、第１電圧切替回路が設けられていない以外は、上記と同様であり、これらの負荷へは一定の出力電圧（１２．５Ｖ）で電源供給される。また、本体用制御マイコン５４には、本体ユニット５への出力電圧を出力電圧固定タイプの三端子レギュレータなどからなる定電圧発生回路により降圧した定電圧Ｖｃ（５Ｖ）で電源供給される。
【００３２】
図１に戻って、電源ユニット５５から排水栓・洗浄ユニット７に電源供給する電源ライン１０１には通信ケーブル（例えば、二芯ケーブル）が用いられ、信号重畳回路５６によって電源ライン１０１には本体用制御マイコン５４から出力される制御信号が重畳される。
【００３３】
排水栓・洗浄ユニット７は、洗剤を貯留する洗剤タンク７１と、ベンチュリ式の洗剤混合部７２と、洗剤タンク７１からの洗剤を洗剤混合部７２に導く洗剤導入管７３と、排水栓２を開閉するサーボモータ７４と、洗浄用制御基板８０とを備える。洗剤導入管７３には、洗剤混合部７２への洗剤の供給を調整する第１及び第２洗剤弁（開閉弁）７５，７６が介設されている。洗剤混合部７２と洗浄ノズル３とは、洗浄管４３を介して接続されている。
【００３４】
洗浄用制御基板８０は、洗浄用制御マイコン８１と、信号抽出回路８２と、定電圧発生回路８３と、第１及び第２洗剤弁７５，７６を駆動する開閉弁駆動回路８４と、サーボモータ７４によって排水栓２を開閉する排水栓駆動回路８５とを備える。信号抽出回路８２は、信号重畳回路５６から出力される制御信号を抽出し、洗浄用制御マイコン８１に出力する。
【００３５】
洗浄用制御マイコン８１には、上記と同様に、定電圧発生回路８３により定電圧Ｖｄが電源供給される。開閉弁駆動回路８４及び排水栓駆動回路８５はそれぞれ、洗浄用制御マイコン８１からの制御信号により第１及び第２洗剤弁７５，７６及び排水栓２を駆動する。
【００３６】
例えば、第１及び第２洗剤弁７５，７６は、開閉弁駆動回路８４によって駆動される通電保持型電磁弁であり、所定の定格電圧（１２．５Ｖ）が通電されると、開弁され、開閉弁駆動回路８４からの通電が遮断されると、閉弁される。また、サーボモータ７４と排水栓２とは、排水栓２に進退作動力を伝達するケーブルによって接続されており、排水栓駆動回路８５からサーボモータ７４に所定の定格電圧（１２．５Ｖ）が通電されると、サーボモータ７４が駆動されて排水栓２が開閉される。
【００３７】
天井裏の本体ユニット５と、浴室内の排水栓・洗浄ユニット７とは、既述した湯水供給管９８によって接続されている。より詳細には、湯水供給管９８は、洗剤混合部７２に接続されている。従って、第１及び第２洗剤弁７５，７６が開弁された状態で、流量調整手段５２を作動させ、湯水を湯水供給管９８を介して洗剤混合部７２に供給すると、湯水が洗剤混合部７２を通過する際に生じる負圧によって、洗剤と湯水とが混合されて洗浄水が生成され、洗浄管４３を通って、洗浄ノズル３から洗浄水が噴射され、浴槽１の洗浄が行われる。また、第１及び第２洗剤弁７５，７６が閉弁された状態で、同様に流量調整手段５２を作動させ、湯水を湯水供給管９８から洗剤混合部７２に供給すると、洗浄ノズル３から湯水のみが噴射され、浴槽１の予備洗浄やすすぎが行われる。
【００３８】
図３は、本実施の形態の浴槽洗浄システムの動作を説明するためのタイムチャートである。洗浄運転は、本体用制御マイコン５４が所定の洗浄制御プログラムを実行することにより実現される。
【００３９】
給湯器用リモコンの運転スイッチがオン操作されている状態で、使用者が洗浄用リモコンＲの洗浄運転スイッチをオン操作すると、本体ユニット５の本体用制御マイコン５４は排水栓２を開栓させる制御信号を排水栓・洗浄ユニット７に出力する。すると、排水栓・洗浄ユニット７の洗浄用制御マイコン８１は、排水栓駆動回路８５を作動させて、排水栓２を開栓させる。既述したように排水栓２は軽負荷であり、電源ユニット５５と排水栓・洗浄ユニット７とが長距離の電源ライン１０１で接続されていても電圧ドロップの影響は小さい。このため、低電圧の直流電圧Ｖ０１（１２．５Ｖ）により確実に排水栓２を開栓させることができる。
【００４０】
所定の開栓時間が経過すると、排水栓駆動回路８５への通電を停止させ、浴槽水が排出される所定の排水時間、待機する。排水時間が経過すると、本体用制御マイコン５４は、低電圧の直流電圧Ｖ０１の出力電圧が排水栓・洗浄ユニット７に電源供給されている状態で、第１及び第２洗剤弁７５，７６を開弁させる制御信号を排水栓・洗浄ユニット７に出力する。すると、洗浄用制御マイコン８１は、開閉弁駆動回路８４を駆動させて、第１及び第２洗剤弁７５，７６を開弁させる。
【００４１】
また、本体用制御マイコン５４は、第１及び第２洗剤弁７５，７６を開弁させる制御信号を出力させてから電圧ドロップが生じるのに十分な所定時間（例えば、１００ｍｓｅｃ）が経過すると、第１電圧切替回路５０７に設定電圧を変更する負荷制御信号を出力し、出力電圧を高電圧の直流電圧Ｖ０１（１５Ｖ）に切り替える。これにより、排水栓２を開栓させるときよりも高電圧の直流電圧Ｖ０１で排水栓・洗浄ユニット７に電源供給されるから、電圧ドロップが生じても適切な電圧を第１及び第２洗剤弁７５，７６に通電させることができる。また、第１及び第２洗剤弁７５，７６を開弁させて電流が消費された状態を形成してから、出力電圧が高電圧の直流電圧Ｖ０１に切り替えられるから、第１及び第２洗剤弁７５，７６に定格電圧を超える電圧が通電されるのを防止できる。また、排水栓２と第１及び第２洗剤弁７５，７６を駆動させるタイミングを異ならせているから、排水栓２にも定格電圧を超える電圧が通電されるのを防止できる。
【００４２】
所定の開弁時間が経過すると、第１及び第２洗剤弁７５，７６への通電を停止する前に、電源ユニット５５から排水栓・洗浄ユニット７に高電圧の直流電圧Ｖ０１で電源供給されている状態で、第１電圧切替回路５０７により、出力電圧が高電圧から低電圧の直流電圧Ｖ０１に切り替えられる。そして、出力電圧が高電圧から低電圧の直流電圧Ｖ０１に切り替えられてから所定時間（例えば、１００ｍｓｅｃ）が経過すると、第１及び第２洗剤弁７５，７６への通電を停止させ、第１及び第２洗剤弁７５，７６を閉弁させる。これにより、開弁時と同様に、第１及び第２洗剤弁７５，７６の閉弁時にも、定格電圧を超える電圧が第１及び第２洗剤弁７５，７６や排水栓２へ通電されるのを防止できる。
【００４３】
図示しないが、浴槽１内に洗浄水や湯水を噴射させる洗浄運転が終了すると、排水栓駆動回路８５を作動させて、排水栓２を閉栓させる。このとき、電源ユニット５５から排水栓・洗浄ユニット７へは低電圧の直流電圧Ｖ０１で電源供給されているから、閉栓時においても定格電圧を超える電圧の排水栓２への通電を確実に防止できる。
【００４４】
以上のように、本実施の形態の浴槽洗浄システムでは、排水栓・洗浄ユニット７に昇圧回路は設けられていないが、第１及び第２洗剤弁７５，７６を駆動させるとき、排水栓２を駆動させるときよりも高電圧の出力電圧で排水栓・洗浄ユニット７に電源供給するように、出力電圧を切り替える第１電圧切替回路５０７が電源ユニット５５に設けられており、第１及び第２洗剤弁７５，７６を駆動させるとき、まず軽負荷の排水栓２を駆動させるときの低電圧の出力電圧で排水栓・洗浄ユニット７に電源供給され、その後、第１電圧切替回路５０７により排水栓・洗浄ユニット７に高電圧の出力電圧で電源供給される。従って、低電圧を第１及び第２洗剤弁７５，７６に通電させて、電圧ドロップが生じた状態を形成してから、高電圧が第１及び第２洗剤弁７５，７６に通電される。これにより、第１及び第２洗剤弁７５，７６に定格電圧を超える電圧が通電されるのを防止できる。特に、第１及び第２洗剤弁７５，７６を開弁させる制御信号を出力させてから所定時間経過後に、低電圧から高電圧に切り替えるから、より確実に定格電圧を超える電圧が通電されるのを防止できる。
【００４５】
また、排水栓２の駆動は第１及び第２洗剤弁７５，７６の駆動とは異なるタイミングで行われるから、排水栓２を駆動させるとき、第１電圧切替回路５０７によって電源ユニット５５から排水栓・洗浄ユニット７に低電圧の出力電圧で電源供給することにより、排水栓２に定格電圧を超える電圧が通電されるのを防止できる。
【００４６】
従って、本実施の形態の浴槽洗浄システムによれば、排水栓ユニットと洗浄ユニットを一体化させた排水栓・洗浄ユニット７が浴室内に設置され、浴室外に設置された電源ユニット５５から長距離の電源ライン１０１を介して排水栓・洗浄ユニット７に所定の出力電圧で電源供給する設置環境において、軽負荷の排水栓２及び重負荷の第１及び第２洗剤弁７５，７６いずれにも、各負荷に適切な電圧を通電させて駆動させることができる。
【００４７】
また、本実施の形態の浴槽洗浄システムによれば、排水栓・洗浄ユニット７に昇圧回路を設ける必要がないから、浴室内に設置される排水栓・洗浄ユニット７の構成を簡略化することができるだけでなく、排水栓・洗浄ユニット７の負荷を作動させたときの回路損失も低減できる。また、排水栓・洗浄ユニット７に電源供給する電源ユニット５５は浴室外に設置できるから、複雑な防水構造を必要とせず、浴室内に設置される排水栓・洗浄ユニット７を省スペース化することができる。また、電源ユニット５５と排水栓・洗浄ユニット７とを電源ライン１０１で接続するだけでよいから、排水栓ユニットと洗浄ユニットとに別々に電源供給する場合に比べて、設置工事を簡略化できる。
【００４８】
従って、本実施の浴槽洗浄システムによれば、設置工事を簡略化できる浴槽洗浄システムを低コストで提供することができる。
【００４９】
（実施の形態２）
本実施の形態は、電源ユニット及び排水栓・洗浄ユニットの回路構成が一部で相違する以外は、実施の形態１の構成と同一の構成を有する。従って、同一の構成については説明を省略し、異なる構成のみを説明する。
【００５０】
図４は、本実施の形態に係る浴槽洗浄システムの一例を示す概略構成図である。図４に示すように、浴室の天井裏には本体ユニット５ａが配設され、浴室内には排水栓・洗浄ユニット７ａが配設される。
【００５１】
図示しないが、本実施の形態における電源ユニット５５ａの回路構成は、実施の形態１における第１電圧切替回路５０７が設けられていない以外は、実施の形態１のそれと同様である。このため、電源ユニット５５ａから排水栓・洗浄ユニット７ａへの出力電圧は低電圧の直流電圧Ｖ０１に維持される。
【００５２】
一方、図４に示すように、本実施の形態における排水栓・洗浄ユニット７ａの洗浄用制御基板８０ａは、洗浄用制御マイコン８１ａ、信号抽出回路８２、定電圧発生回路８３、開閉弁駆動回路８４、及び排水栓駆動回路８５以外に、昇圧回路８６と、第２電圧切替回路８７とを備える。昇圧回路８６は、例えば、半導体スイッチ素子などを備えるＤＣ／ＤＣコンバータで構成され、第２電圧切替回路８７と接続される。第２電圧切替回路８７は、本体用制御マイコン５４から洗浄用制御マイコン８１ａを介して出力される負荷制御信号により、昇圧回路８６に昇圧動作を行わせ、出力電圧を低電圧と高電圧との間で切り替える。具体的には、第２電圧切替回路８７は、第１及び第２洗剤弁７５，７６を開弁させるとき以外は、低電圧の直流電圧Ｖ０１（１２．５Ｖ）をそのまま出力させ、第１及び第２洗剤弁７５，７６を開弁させるとき、昇圧回路８６を作動させて高電圧の直流電圧Ｖ０１（１５Ｖ）を出力させる。
【００５３】
本実施の形態の浴槽洗浄システムでは、実施の形態１と同様に、洗浄用リモコンＲの運転スイッチのオン操作がなされると、低電圧の直流電圧Ｖ０１（１２．５Ｖ）の出力電圧で排水栓・洗浄ユニット７ａに電源供給が行われ、低電圧の直流電圧Ｖ０１で排水栓２を開栓させる。
【００５４】
また、実施の形態１と同様に、所定の開栓時間が経過すると、排水栓駆動回路８５への通電を停止させ、浴槽水が排出される所定の排水時間、待機する。排水時間が経過すると、電源ユニット５５ａから排水栓・洗浄ユニット７ａに低電圧の直流電圧Ｖ０１の出力電圧で電源供給されている状態で、本体用制御マイコン５４から第１及び第２洗剤弁７５，７６を開弁させる制御信号を出力させる。すると、洗浄用制御マイコン８１ａは、開閉弁駆動回路８４を駆動させて、第１及び第２洗剤弁７５，７６を開弁させる。
【００５５】
また、実施の形態１と同様に、本体用制御マイコン５４は、第１及び第２洗剤弁７５，７６を開弁させる制御信号を出力させてから所定時間が経過すると、洗浄用制御マイコン８１ａに負荷制御信号を出力し、本体用制御マイコン５４から出力される負荷制御信号により、第２電圧切替回路８７は昇圧回路８６を作動させて、高電圧の直流電圧Ｖ０１（１５Ｖ）を第１及び第２洗剤弁７５，７６に通電させる。これにより、排水栓２を駆動させるときよりも高電圧の直流電圧Ｖ０１が第１及び第２洗剤弁７５，７６に通電されるから、電圧ドロップが生じても適切な電圧を第１及び第２洗剤弁７５，７６に通電させることができる。また、第１及び第２洗剤弁７５，７６を開弁させて電流が消費された状態を形成してから、昇圧回路８６からの出力電圧が高電圧の直流電圧Ｖ０１に切り替えられるから、第１及び第２洗剤弁７５，７６に定格電圧を超える電圧が通電されるのを防止できる。また、排水栓２と第１及び第２洗剤弁７５，７６を駆動させるタイミングを異ならせているから、排水栓２にも定格電圧を超える電圧が通電されるのを防止できる。第１及び第２洗剤弁７５，７６を閉弁させるときの動作は、実施の形態１と同様である。
【００５６】
以上のように、本実施の形態の浴槽洗浄システムでは、排水栓・洗浄ユニット７ａに昇圧回路８６と昇圧回路８６を作動させる第２電圧切替回路８７とが設けられており、第１及び第２洗剤弁７５，７６を駆動させるとき、まず軽負荷の排水栓２を駆動させる低電圧が第１及び第２洗剤弁７５，７６に通電され、その後、第２電圧切替回路８７により昇圧回路８６を作動させて高電圧が第１及び第２洗剤弁７５，７６に通電される。従って、実施の形態１と同様に、低電圧を第１及び第２洗剤弁７５，７６に通電させて、電圧ドロップが生じた状態を形成してから、高電圧が第１及び第２洗剤弁７５，７６に通電される。これにより、第１及び第２洗剤弁７５，７６に定格電圧を超える電圧が通電されるのを防止できる。特に、第１及び第２洗剤弁７５，７６を開弁させる制御信号を出力させてから所定時間経過後に、低電圧から高電圧に切り替えるから、より確実に定格電圧を超える電圧が通電されるのを防止できる。
【００５７】
また、実施の形態１と同様に、排水栓２の駆動は第１及び第２洗剤弁７５，７６の駆動とは異なるタイミングで行われるから、排水栓２を駆動させるとき、第２電圧切替回路８７によって排水栓２に定格電圧を超える電圧が通電されるのを防止できる。
【００５８】
従って、本実施の形態の浴槽洗浄システムによれば、排水栓ユニットと洗浄ユニットを一体化させた排水栓・洗浄ユニット７が浴室内に設置され、浴室外に設置された電源ユニット５５ａから長距離の電源ライン１０１を介して排水栓・洗浄ユニット７ａに所定の出力電圧で電源供給する設置環境において、軽負荷の排水栓２及び重負荷の第１及び第２洗剤弁７５，７６いずれにも、各負荷に適切な電圧を通電させて駆動させることができる。
【００５９】
また、排水栓・洗浄ユニット７ａに電源供給する電源ユニット５５ａは浴室外に設置できるから、複雑な防水構造を必要とせず、浴室内に設置される排水栓・洗浄ユニット７ａを省スペース化することができる。また、電源ユニット５５ａと排水栓・洗浄ユニット７ａとを電源ライン１０１で接続するだけでよいから、排水栓ユニットと洗浄ユニットとに別々に電源供給する場合に比べて、設置工事を簡略化できる。
【００６０】
従って、本実施の浴槽洗浄システムによれば、設置工事を簡略化できる浴槽洗浄システムを低コストで提供することができる。
【００６１】
（その他の実施の形態）
（１）上記実施の形態では、排水栓・洗浄ユニットに湯水を供給するために流量調整手段を有する本体ユニットが浴室の天井裏に配設されているが、給湯器からの給水圧を利用して湯水を排水栓・洗浄ユニットに供給してもよい。
（２）上記実施の形態では、同じ定格電圧を有する排水栓と開閉弁とが用いられているが、異なる定格電圧を有する負荷を用いてもよい。この場合、排水栓・洗浄ユニットに各負荷に適切な電圧が通電されるようＤＣ／ＤＣコンバータなどの電圧変換回路が設けられる。
（３）上記実施の形態では、開閉弁を駆動させる制御信号が出力されてから所定時間経過後に低電圧から高電圧への切り替えが行われているが、電圧検出回路を設け、電圧ドロップが検出されると、低電圧から高電圧への切り替えを行ってもよい。
（４）上記実施の形態２では、本体用制御マイコンからの負荷制御信号により昇圧回路を作動させているが、洗浄用制御マイコンにより昇圧回路を作動させてもよい。
【符号の説明】
【００６２】
２            排水栓
７５，７６    第１，第２洗剤弁（開閉弁）
７，７ａ      排水栓・洗浄ユニット
５５，５５ａ  電源ユニット
５０７        第１電圧切替回路
８６          昇圧回路
８７          第２電圧切替回路
１０１        電源ライン
【図１】
2019141198.tif 000003
【図２】
2019141198.tif 000004
【図３】
2019141198.tif 000005
【図４】
2019141198.tif 000006